(57)【特許請求の範囲】
【請求項１】
室内壁等の壁面に対して物品を着脱可能に取り付ける壁面取付装置において、
前記壁面に固定される壁面取付部材、及び前記壁面取付部材に係合し一体化されて前記壁面取付部材の前面を覆う装飾・連結兼用プレートを有した固定部構造体と、
前記物品の裏面に固定される物品取付部材を有した物品構造体と、
前記固定部構造体と前記物品構造体との間に設けられて、前記固定部構造体のプレートに対する前記物品構造体の摺動操作により両者を着脱可能に連結する係合手段と
からなることを特徴とする壁面取付装置。
【請求項２】
前記係合手段は、前記物品と前記物品取付部材との間に形成された空間を有し、前記空間を前記プレートに形成された凸部分に係合することを特徴とする請求項１に記載の壁面取付装置。
【請求項３】
前記係合手段は、前記物品取付部材と前記プレートとの対向部、又は、前記物品取付部材と前記壁面取付部材との対向部に設けられて、互いに係合可能な一方側の凸部分及び他方側の凹部分であることを特徴とする請求項１に記載の壁部取付装置。
【請求項４】
前記係合手段は、前記壁面と前記壁面取付部材との間に形成された空間、又は、前記壁面と前記プレートとの間に形成された空間を有し、前記物品取付部材に形成された凸部分を前記空間に係合することを特徴とする請求項１に記載の壁面取付装置。
【請求項５】
前記物品取付部材は、正面視略Ｕ字状であり、その端部が前記固定部構造体のプレートに対する前記物品構造体の摺動方向に対して外側に広がったガイド部に形成されていることを特徴とする請求項１から４の何れかに記載の壁面取付装置。
【請求項６】
前記物品取付部材のＵ字状内面に設けられて、前記固定部構造体に対する前記物品構造体の前記係合手段による連結と同時に、前記固定部構造体の一部と係合して前記物品構造体の外れ方向への摺動を阻止可能にする弾性規制部を有していることを特徴とする請求項５に記載の壁面取付装置。
【請求項７】
前記物品取付部材は、その裏側に平坦状の当接面を形成しているとともに、前記物品の裏面の任意の位置に固定されることを特徴とする請求項１から６の何れかに記載の壁面取付装置。
【発明の詳細な説明】
【技術分野】
【０００１】
本発明は、特に物品（壁面に取り付けられる物品であり、これには時計、各種の額、装飾物や装飾壁などを含む）を室内壁等の壁面に対して取り付ける場合に用いられる物品取付装置に関する。
【背景技術】
【０００２】
特許文献１から３には、室内壁等の壁面に対して物品を着脱可能に取り付けるために用いられる従来の壁面取付装置が開示されている。このうち、特許文献１のものは、対象の壁面に固定される壁面止着部材と、物品に固定された状態で壁面止着部材に連結される物品止着部材とからなる。壁面止着部材は、本体部の前面側に係合部が突設され、この係合部の対向する一対の側面に溝又は突起を形成している。物品止着部材は、物品に固定される本体部の端部に、前記壁面止着部材の係合部の溝又は突起に摺動操作により嵌合される突起又は溝を形成している。
【０００３】
特許文献２のものは、壁面に固定されるプレート本体と、プレート本体の前面に係止手段を介して連結される覆いプレートとからなる。プレート本体は、多数の取付孔を設けて、この取付孔に挿入される取付ねじにより室内壁等の壁面に固定される。覆いプレートは、係止手段によりプレート本体の前面に着脱可能に連結されて、前記各取付孔を覆う大きさとなっている。そして、この構造では、プレート本体の前面に覆いプレートを連結した状態で、プレート本体と覆いプレートとの間の少なくとも上部に紐を巻掛け可能な溝部を形成するものである。
【０００４】
特許文献３のものは、多数の窓孔を一定のピッチで透設して室内壁等の壁面に固定される基板と、窓孔に対する位置決め部材を有した壁パネルと、壁パネルを基板に着脱可能に連結する止め部材とからなる。壁パネルは、裏面に設けられた位置決め部材を対応する窓孔に係合した状態で基板に配置され、その状態で基板に対して雄・雌側のファスナーなどからなる止め部材により連結される。
【先行技術文献】
【特許文献】
【０００５】
【特許文献１】特開２００７−５０１５０号公報
【特許文献２】特開２００６−２７１９９１号公報
【特許文献３】実公平３−１４４９８号公報
【発明の概要】
【発明が解決しようとする課題】
【０００６】
特許文献１のものでは、例えば物品が物品止着部材を介して外されると、それまで物品で見えなかった壁面止着部材が壁面に露出されて室内環境などが悪くなる。これは、壁面止着部材が壁面に対する係合部と共に、物品止着部材との間に設けられる係合手段である溝や突起などを有し、それらが目視され易い箇所に表出しているからである。このような不具合は特許文献２や３の構造でも同様である。また、特許文献２のものでは、物品を紐により吊り下げることから、適用物品に制約され、装飾壁などのごとく吊り下げに不適な物品には採用できない。また、特許文献３のものでは、室内壁のほぼ全体を装飾壁に変更する場合を除いて、例えば時計などの小型物品には適用できず、しかも装飾壁やパネルの配列に対する自由度が低い。
【０００７】
本願発明は以上のような背景から開発されたものである。その目的とするところは、特に、物品を取付けている状態では装置は物品の背面に隠蔽され、物品を取外した場合には装置そのものが壁面の意匠の一部を構成できるようにした、物品の取付自由度が高く、かつ簡単に脱着でき取付強度も強化し易い壁面取付装置を提供するものである。
【課題を解決するための手段】
【０００８】
上記目的を達成するため本発明は、形態を参考にして特定すると、室内壁等の壁面９に対して物品８を着脱可能に取り付ける壁面取付装置において、前記壁面に固定される壁面取付部材１、及び前記壁面取付部材に係合し一体化されて前記壁面取付部材の前面を覆う装飾・連結兼用プレート２を有した固定部構造体４と、前記物品８の裏面に固定される物品取付部材５を有した物品構造体７と、前記固定部構造体４と前記物品構造体７との間に設けられて、前記固定部構造体のプレート２に対する前記物品構造体の摺動操作により両者を着脱可能に連結する係合手段（例えば、空間Ｓ１と凸部分２９）とからなることを特徴としている。
【０００９】
以上の本発明において、物品構造体は、物品及び物品取付部材とともに物品取付部材を物品に固定する手段（例えばねじ、釘、接着剤、両面接着テープなど）を含む意味で使用している。
【００１０】
以上の本発明は、請求項２〜７で特定したように具体化されることがより好ましい。
(ア)、前記係合手段は、図３に示されるごとく前記物品８と前記物品取付部材５との間に形成された空間Ｓ1を有し、前記空間を前記プレート２に形成された凸部分２９に係合する構成である（請求項２）。
(イ)、前記係合手段は、図１１に示されるごとく前記物品取付部材５と前記プレート２との対向部、又は、前記物品取付部材５と前記壁面取付部材１との対向部に設けられて、互いに係合可能な一方側の凸部分５５ａや５５ｂ及び他方側の凹部分２９ａや１８の構成である（請求項３）。これには図１１の凹部分及び凸部分を逆に設ける態様を含む。
(ウ)、前記係合手段は、図１２に示されるごとく前記壁面９と前記壁面取付部材１との間に形成された空間Ｓ2、又は、前記壁面９と前記プレート２との間に形成された空間Ｓ3を有し、前記物品取付部材５に形成された凸部分５５ｃや５５ｄを前記空間Ｓ2やＳ3に係合する構成である(請求項４）。
【００１１】
(エ)、前記物品取付部材５は、正面視略Ｕ字状であり、その端部が前記固定部構造体４のプレート２に対する前記物品構造体７の摺動方向に対して外側に広がったガイド部５２に形成されている構成である（請求項５）。
(オ)、前記物品取付部材５のＵ字状内面に設けられて、前記固定部構造体４に対する前記物品構造体７の前記係合手段による連結と同時に、前記固定部構造体４の一部と係合して前記物品構造体の外れ方向への摺動を阻止可能にする弾性規制部５７を有している構成である（請求項６）。
(カ)、前記物品取付部材５は、その裏側に平坦状の当接面を形成しているとともに、前記物品の裏面の任意の位置に固定される構成である（請求項７）。
【発明の効果】
【００１２】
請求項１の発明は、壁面取付部材、装飾・連結兼用のプレート、物品取付部材を必須とし次のような利点を有している。固定部構造体としては、壁面に固定した壁面取付部材に装飾・連結兼用プレートを固定しておくと、物品構造体を連結しなくても、プレートが壁面取付部材の前面を覆っているため外観見栄えを維持し易いとともに、物品構造体を何時でも係合手段を介して着脱可能に連結支持できる。装飾・連結用プレートは、壁面と関係なく設計できるため装飾機能を採用し易くなる。物品構造体としては、例えば、目的の物品に物品取付部材を予め固定して、その物品を固定部構造体と組にして取り扱うことも可能となるため汎用性を付与でき、壁面に固定される固定部構造体に対し係合手段を介して摺動操作により簡単に連結できる。
【００１３】
請求項２の発明では、物品構造体に設けられてプレートの凸部分と係合する係合部として、物品と物品取付部材との間に形成される空間にて構成することで、係合溝や断面凹部などの複雑な加工を避けて単純化に伴う作製費を低減し易くなる。
【００１４】
請求項３の発明では、物品取付部材とプレートとの対向部、又は、物品取付部材と壁面取付部材との対向部に設けられて、互いに係合可能な凸部分及び凹部分にて構成するため、係合手段に関して用途などに応じた設計自由度を拡大できる。
【００１５】
請求項４の発明では、物品構造体に設けられて物品取付部材の凸部分と係合する係合部として、壁面と壁面取付部材又はプレートとの間に形成された空間にて構成するため係合溝や断面凹部などの複雑な加工を避けて単純化に伴う作製費を低減し易くなり、また壁面取付部材又はプレートに凹凸などの形状をなくし、見栄えを良くする。
【００１６】
請求項５の発明では、物品取付部材が略Ｕ形となっており、Ｕ形内にプレートを配置するため、物品構造体を固定構造体に対し摺動操作により確実かつ安定して連結でき、かつ係合手段の連結強度を強化し易くなる。
【００１７】
請求項６の発明では、請求項５において、物品構造体が固定部構造体に対して係合手段により連結された状態を弾性規制部によって確実に維持するため信頼性を向上できる
【００１８】
請求項７の発明では、物品取付部材として、その裏側の平坦状となった当接面を物品の裏面に面接触するため位置決め配置し易いものとなる。なお、物品取付部材は、形態や変形例に挙げたごとく物品の裏面に対しねじ、釘、両面接着テープ、接着剤などの汎用の固定手段のうちから、物品の大きさや重量に応じた最適なものを選んで固定することが好ましい。
【図面の簡単な説明】
【００１９】
【図１】本発明形態の壁面取付装置の使用方法として、（ａ）は物品構造体の摺動操作要領を示し、（ｂ）は固定部構造体に対する物品構造体の連結状態を示している。
【図２】（ａ）と（ｂ）は図１（ａ）及び（ｂ）と同じ状態を示す模式側面図である。
【図３】（ａ）は図２（ｂ）のＡ−Ａ線断面に相当した状態で示す装置背面図、（ｂ）は（ａ）のＢ−Ｂ線断面図、（ｃ）は（ａ）のＣ−Ｃ線断面図である。
【図４】（ａ）は壁面取付部材を壁面に取り付けた状態を示す正面図、（ｂ）は（ａ）のＤ−Ｄ線断面図である。
【図５】（ａ）は更にプレートを壁面取付部材に固定した状態を示す正面図、（ｂ）は（ａ）のＥ−Ｅ線断面図である。
【図６】上記壁面取付装置の構成部材同士の関係を示す斜視図である。
【図７】上記壁面取付装置を構成している壁面取付部材単品を示し、（ａ）は上面図、（ｂ）は一方側面図、（ｃ）は裏面図、（ｄ）は他方側面図、（ｅ）下面図である。
【図８】上記壁面取付部材を壁面に固定するクリップを示し、（ａ）は上面図、（ｂ）は一方側面図、（ｃ）は裏面図、（ｄ）は他方側面図、（ｅ）下面図である。
【図９】上記壁面取付装置を構成しているプレート単品を示し、（ａ）は上面図、（ｂ）は一方側面図、（ｃ）は裏面図、（ｄ）は他方側面図、（ｅ）下面図である。
【図１０】上記壁面取付装置を構成している物品取付部材単品を示し、（ａ）は上面図、（ｂ）は裏面図、（ｃ）は下面図である。
【図１１】（ａ）と（ｂ）は本発明の係合手段の変形例１と２を図３（ｃ）に対応して示す模式断面図である。
【図１２】（ａ）と（ｂ）は本発明の係合手段の変形例３と４を図３（ｃ）に対応して示す模式断面図である。
【発明を実施するための形態】
【００２０】
以下、本発明の形態について添付図面を参照しながら説明する。この説明では、図１〜１０に示される壁取付装置の構造、使用例、変形例１〜４の順に詳述する。
【００２１】
（構造）形態の物品取付装置は、図１〜図６に示されるごとく室内壁等の壁面９にクリップ３等で固定される壁面取付部材１、及び壁面取付部材１に係合し一体化されて壁面取付部材１の前面を覆う大きさの装飾・連結兼用プレート２を有した固定部構造体４と、物品８の裏面８ｂにねじ６等により固定される物品取付部材５を有した物品構造体７と、固定部構造体４と物品構造体７との間に設けられて、固定部構造体４のプレート２に対する物品構造体７の摺動操作により両者を着脱可能に連結する係合手段（例えば、空間Ｓ１とフランジ部２９である凸部分）とからなる。なお、主部材の材質は、壁面取付部材１、プレート２、物品取付部材５は共に樹脂成形体からなるが、樹脂以外でも差し支えない。
【００２２】
ここで、壁面取付部材１は、図６及び図７に示されるごとく、固定部構造体４として、特に壁面９に対し位置決め配置した状態で固定する手段と、プレート２２を固定する手段とが重要となる。すなわち、壁面取付部材１は、所定厚さ寸法、かつ上下面（又は前後面）１０，１１及び両側面１２で区画された略矩形の板状となっている。この壁面取付部材１には、表面側四隅に設けられた窪み１３と、上面（又は前面）１０及び下面（又は後面）１１の略中間に設けられた大小の凹部１４，１５と、両側面１２の略中間に設けられた係止爪１６とを有している。窪み１３は小型のクリップ３に対応した凹所となっている。窪み１３内には、裏面１ｂに貫通した貫通孔１３ａと、貫通孔１３ａの両側に設けられて同じく裏面１ｂに貫通した一対の係止穴１３ｂとが設けられている。
【００２３】
クリップ３は、図４及び図６並びに図８に示されるごとく、本体３０及び本体３０の一端に添って一体化されて両側へ延びている対の腕３１とからなる。本体１０及び腕３１の下面には、凸部３３が係止穴１３ｂに嵌るよう設けられるとともに、係止用のピン３５が凸部３３の下方へ突設されている。両腕３１の端面には爪３２が設けられている。そして、以上のクリップ３は、壁面取付部材１に対し、窪み１３に押入れられると、凸部３３が貫通孔１３ａに係合し、ピン３５が貫通孔１３ａから外へ突出れるとともに、各爪３２が対応する係止孔１３ｂに係合固定される。そして、壁面取付部材１は、四隅に組み込んだ各クリップ３のピン３５を壁面９に突き刺すことにより固定される。但し、本発明の固定部構造体４としては、以上のクリップ３を省略して、壁面９に対して壁面取付部材１を複数のピン、釘、ねじなどを使用して直接固定するようにしてもよい。
【００２４】
装飾・連結兼用プレート２は、図５及び図６並びに図９に示されるごとく、固定部構造体４として、特に壁面取付部材１に係合し一体化する構成と、物品構造体７ないしは物品取付部材５との間に設けられる係合手段と、装飾性の観点からの構成とが重要となる。すなわち、このプレート２は、上下面（又は前後面）２０，２１及び両側面２２で区画され、かつ壁面取付部材１の前面を覆う大きさの矩形板状となっており、裏面２ｂに突設された矩形状の筒部２５を有している。プレート２の表面２ａ（装飾面となる面で、裏面２ｂと反対側の面のことである）は、装飾性を維持するため平坦面に形成されている。このように表面２ａとしては、外観を維持したり、装飾シートなどを添着し易くするため少なくとも係合又は取付用の溝や突起などがないことが好ましい。符号２３は裏面２ｂに設けられた補強リブ、符号２４は裏面２ｂのうち筒部２５の底面に設けられた補強リブである。
【００２５】
筒部２５は、壁面取付部材１を内側に包み込む形状であり、対向している両側内面に設けられて上記係止爪１６と係合する凹部２６と、対向している上下の内側面に設けられて上記凹部１４，１５と係合する凸部２７，２８とを有している。そして、以上のプレート２は、図５のごとく壁面９に固定された壁面取付部材１に対して正面からの押し操作により凸部２７，２８が凹部１４，１５と摺動可能に係合し、かつ、押し操作の最終段階で凹部２６が係止爪１６と係合し抜け止めされて所定の固定強度で結合一体化される。この結合状態が本発明の固定部構造体４である。なお、物品構造体７ないしは物品取付部材５との間に設けられる係合手段としては、図３から推察されるごとくプレート２の両側部分、つまり筒部２５から見ると凸部分となるフランジ部２９が利用される。この点は後述する。
【００２６】
物品取付部材５は、図３及び図６並びに図１０に示されるごとく、物品構造体７として、特に物品８に対し位置決め配置した状態で固定する手段と、物品構造体７の摺動操作により固定部構造体４に着脱可能に連結する係合手段とが重要となる。すなわち、物品取付部材５は、正面視で下部両側が開いた略Ｕ字形をなすとともに、Ｕ字状の両端部を下外側ないしは内側の寸法を広くするよう屈曲形成した傾斜状のガイド部５２を有した偏平状の成形体からなる。
【００２７】
換言すると、物品取付部材５は、略Ｕ字形を形成している中間片部５０及び両側片部５１と、両側片部５１の端末に延長形成されて固定部構造体４のプレート２に対する物品構造体７の摺動方向に対して外側に広がったガイド部５２とでおおよその輪郭を形成している。そして、この物品取付部材５は、中間片部５０及び両側片部５１に設けられて表裏面５ａ,５ｂを貫通している取付孔５３と、中間片部５０及び両側片部５１の内面に設けられて本発明の係合手段を構成している挟持片部５４,５５と、両側片部５１とガイド部５２との境界付近の内面に設けられて固定部構造体４に対する物品構造体７の係合連結と同時に、固定部構造体４の一部と係合して物品構造体７の外れ方向への摺動を阻止可能にする弾性規制部５７とを有している。
【００２８】
なお、この例では、表面５ａが壁面９側に配置される面で、物品８に固定される裏面５ｂと反対側の面を指している。表裏面の内、少なくとも裏面５ｂは平坦状の当接面として形成されており、物品８の裏面８ｂの任意の位置に安定配置されるようになっている。
【００２９】
取付孔５３は、表面５ａが径大孔部５３ａに形成されており、物品取付部材５を物品８の裏面８ｂに位置決め配置した状態でねじ６をねじ込むことにより物品８に固定可能にする。但し、物品取付部材５の物品８への固定手段としては、以上のねじ６に代えて、物品取付部材５を１以上のピン、釘、接着剤、更には図１１（ａ），（ｂ）及び図１２（ａ）の各変形例に示したごとく両面接着テープ６０などを使用して固定するようにしてもよい。物品構造体７は、以上のようにして物品取付部材５を物品８に汎用の固定手段により固定したものを意味している。
【００３０】
また、各挟持片部５４,５５は、図１のごとく各片部５０，５１の内面にあって表面５ａに変位して設けられている。これは、挟持片部５４,５５の内側の面と裏面５ｂに添う仮想平面（これは物品取付部材５が物品８に固定された状態で、物品８の裏面８ｂに相当する平面である）との間にプレート２のうちフランジ部２９の対応部を挿入ないしは係入可能な空間Ｓ1を形成するためである。各弾性規制部５７は、側片部５１とガイド部５２との境界付近の内面側を切り欠いた段差部５６により内側に弾性変位可能となっている。
【００３１】
（使用例）以上の物品構造体７は、上記した固定部構造体４に対して摺動操作、この例では図２のごとく上から下向きに摺動操作することにより、本発明の係合手段として、上記した物品８と物品取付部材５との間に形成された空間Ｓ1に上記プレート２のフランジ部２９の対応部（両側部分である凸部分）を係合して着脱可能に連結される。この操作において、初期段階では、プレート２が物品取付部材５のガイド部５２の案内作用により略Ｕ字形の内側に位置だしされてスムースに挿入されるとともに、弾性規制部５７を段差部５６内へ弾性変位させる。最終段階ではプレート２が弾性規制部５７を通過する。すると、弾性規制部５７は、元の状態に復元されてプレート２の下面２１に当たってプレートの抜け方向への移動を確実に阻止する。これにより、この構造では、固定部構造体４に対する物品構造体７の前記係合手段を介した連結と同時に、物品構造体７の外れ方向への摺動が不能となる。このため、物品構造体７を固定部構造体４から外す場合は、弾性規制部５７を段差部５６内に押圧変位させた状態で、物品構造体７を係合時とは反対の上向きに摺動操作することになる。なお、以上の形態では、物品構造体７が弾性規制部５７に固定部構造体４のプレート２を当接して外れないようにしたが、プレート２の代わりに壁面取付部材１の一部を当接させるようにしてもよい。
【００３２】
（変形例１と２）図１１（ａ）と（ｂ）は本発明の係合手段として上記構成に代えた２例を図３（ｃ）に対応して示している。すなわち、本発明の係合手段として、図１１（ａ）の構成では、物品取付部材５と固定部構造体４のプレート２との対向部に互いに係合する凸部分と凹部とを設けるようにしたものである。この例では、物品取付部材５の対向部（例えば両側部内面）に凸部分５５ａを設けるとともに、プレート２の対向部（例えば両側面）に凹部２９ａを設けている。但し、これに代えて、物品取付部材５の対向部（例えば両側部内面）に凹部を設けるとともに、プレート２の対向部（例えば両側面）に前記凹部に係合する凸部分を設けるようにしてもよい。
【００３３】
図１１（ｂ）の構成では、物品取付部材５と固定部構造体４の壁面取付部材１との対向部に互いに係合する凸部分と凹部とを設けるようにしたものである。この例では、物品取付部材５の対向部（例えば両側部内面）に凸部分５５ａを設けるとともに、壁面取付部材１の対向部（例えば両側面）に凹部１８を設けている。但し、これに代えて、物品取付部材５の対向部（例えば両側部内面）に凹部を設けるとともに、壁面取付部材１の対向部（例えば両側面）に前記凹部に係合する凸部分を設けるようにしてもよい。
【００３４】
（変形例３と４）図１２（ａ）と（ｂ）は本発明の係合手段として上記各構成以外の２例を図３（ｃ）に対応して示している。すなわち、本発明の係合手段として、図１２（ａ）の構成では、壁面９と壁面取付部材１との間に形成された空間Ｓ2を有しており、物品取付部材５に形成された凸部分５５ｃをその空間Ｓ2に係合するようにしたものである。この例では、空間Ｓ2に対応して、物品取付部材５の対向部（例えば両側部内面）に凸部分５５ｃを設けている。
【００３５】
図１２（ｂ）の構成では、壁面９と固定部構造体４のプレート２との間に形成された空間Ｓ3を有しており、物品取付部材５に形成された凸部分５５ｃを空間Ｓ3に係合するようにしたものである。この例では、空間Ｓ3に対応して、物品取付部材５の対向部（例えば両側部内面）に凸部分５５ｄを設けている。
【００３６】
なお、本発明は、請求項１で特定される構成を実質的に備えておればよく、細部はこの形態及び各変形例を参考にして変更したり展開可能である。
【符号の説明】
【００３７】
１…壁面取付部材（１ａと１ｂは表裏面、１１と１２は上下面、１２は側面）
２…プレート（２ａと２ｂは表裏面、２０と２１は上下面、２２は側面、２５は胴）
３…クリップ（３０は本体、３１は固定部、３２は爪、３３は凸部、３５はピン）
４…固定部構造体
５…物品取付部材（５ａと５ｂは表裏面、５０は中間片部、５１は側片部）
７…物品構造体（６と６０は汎用止め材であるねじと両面接着テープ）
８…物品（８ａは表面、８ｂは裏面）
９…壁面
１４,１５…凹部
１６…係止爪
２９…フランジ部（係合手段を構成している凸部分）
２６…凹部
２７，２８…凸部
５２…ガイド部
５４，５５…挟持片部（係合手段を構成）
５７…弾性規制部
Ｓ1〜Ｓ3…空間
【図１】
0005517825.tif 000002
【図２】
0005517825.tif 000003
【図３】
0005517825.tif 000004
【図４】
0005517825.tif 000005
【図５】
0005517825.tif 000006
【図６】
0005517825.tif 000007
【図７】
0005517825.tif 000008
【図８】
0005517825.tif 000009
【図９】
0005517825.tif 000010
【図１０】
0005517825.tif 000011
【図１１】
0005517825.tif 000012
【図１２】
0005517825.tif 000013